【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
ニアアイ・ディスプレイ・デバイスの３次元（３Ｄ）視野における３Ｄ距離ベクトルを決定するステップであって、前記３Ｄ距離ベクトルは、前記ニアアイ・ディスプレイ・デバイス上の予め定められた基準点と、前記ニアアイ・ディスプレイ・デバイスのユーザの一方の眼と、のうちの１つから、前記ユーザの３Ｄ注目点へと伸びるものであり、前記一方の眼は、前記ニアアイ・ディスプレイ・デバイスから離間しており前記ニアアイ・ディスプレイ・デバイスと接しておらず、前記ユーザの前記３Ｄ注目点は、前記ニアアイ・ディスプレイ・デバイスを超えており、前記３Ｄ視野内の表示可能なシーンの対応する３Ｄ領域から外れている、ステップと、
前記ユーザの前記３Ｄ注目点へと伸びる前記の決定された３Ｄ距離ベクトルと、予め定められた低知覚基準と、に基づいて、前記表示可能なシーンの前記対応する３Ｄ領域の画像データの少なくとも一部が、前記低知覚基準を満たさない無損失優先画像データとして適しているかどうかを判定するステップと、
前記の決定された３Ｄ距離ベクトルに基づいて、前記表示可能なシーンの前記対応する３Ｄ領域の他の画像データの少なくとも一部が、前記低知覚基準を満たす損失許容画像データとして適しているかどうかを判定するステップと、
前記他の画像データの少なくとも一部が損失許容画像データとして適していることに応じて、損失伝送を許容する１以上の通信技術を用いて、第１の更新データとして前記損失許容画像データを前記ニアアイ・ディスプレイ・デバイスに送信する第１送信ステップと、
前記画像データの少なくとも一部が前記無損失優先画像データとして適していることに応じて、無損失伝送基準を満たす１以上の通信技術を用いて、第２の更新データとして前記無損失優先画像データを前記ニアアイ・ディスプレイ・デバイスに送信する第２送信ステップと、
を含む、方法。
【請求項２】
前記無損失優先画像データを前記ニアアイ・ディスプレイ・デバイスに送信することは、
無損失伝送基準を満たす１以上の通信技術を用いるコンピュータ・システムの使用を含み、
前記方法は、
無損失伝送基準を満たす１以上の誤り訂正技術を用いて、前記無損失優先画像データを符号化するステップ
をさらに含み、
損失伝送を許容する１以上の通信技術を用いて、前記コンピュータ・システムから前記ニアアイ・ディスプレイ・デバイスに前記損失許容画像データを送信することは、
パケットの１以上のデータ完全性ヘッダ・ビットを設定し、損失伝送を許容するレベルの誤り訂正により、前記損失許容画像データの少なくとも一部のための冗長データを含めないことにより、前記損失許容画像データの前記少なくとも一部を符号化すること
を含む、請求項１記載の方法。
【請求項３】
無損失伝送基準を満たす前記１以上の通信技術は、順方向誤り訂正（ＦＥＣ）を含む、請求項２記載の方法。
【請求項４】
前記無損失伝送基準は、前記無損失優先画像データの誤りのない伝送の確率基準を満たす第１のビット誤り率を含み、損失伝送を許容することは、前記確率基準を満たさない第２のビット誤り率を許容することを含む、請求項１記載の方法。
【請求項５】
前記無損失優先画像データを前記ニアアイ・ディスプレイ・デバイスに送信することは、
無損失伝送基準を満たす１以上の通信技術を用いるコンピュータ・システムの使用を含み、
前記方法は、
前記無損失伝送基準のビット誤り率基準を満たす変調技術を用いて、前記無損失優先画像データを変調するステップ
を含み、
損失伝送を許容する１以上の通信技術を用いて、前記コンピュータ・システムから前記ニアアイ・ディスプレイ・デバイスに前記損失許容画像データを送信することは、
前記無損失伝送基準の前記ビット誤り率基準を満たさない変調技術を用いて、前記損失許容画像データの少なくとも一部を変調すること
を含む、請求項１記載の方法。
【請求項６】
前記無損失伝送基準のビット誤り率基準を満たす変調技術を用いて、前記無損失優先画像データを変調することは、
前記ビット誤り率を満たす、シンボル当たり複数ビットの第１のコンステレーション符号化スキームを用いて、前記無損失優先画像データを変調すること
を含み、
前記無損失伝送基準の前記ビット誤り率基準を満たさない変調技術を用いて、前記損失許容画像データの少なくとも一部を変調することは、
シンボル当たり前記第１のコンステレーション符号化スキームよりも多いビットを有する第２のコンステレーション符号化スキームであって、前記ビット誤り率を満たさない第２のコンステレーション符号化スキームを用いて、前記損失許容画像データの少なくとも一部を変調すること
を含む、請求項５記載の方法。
【請求項７】
前記無損失優先画像データは、ユーザ焦点領域内に表示するためのユーザ焦点領域画像データを含み、
前記損失許容画像データは、前記ユーザ焦点領域外に表示するための少なくとも何らかのセカンダリ画像データを含み、
前記セカンダリ画像データは、前記ユーザ焦点領域画像データよりも低い画像解像度を有する、請求項１記載の方法。
【請求項８】
前記セカンダリ画像データは、前記ユーザ焦点領域画像データとは異なるディスプレイ更新速度を有する、請求項７記載の方法。
【請求項９】
ニアアイ・ディスプレイ・デバイス・システムであって、
ニアアイ・サポート構造と、
ニアアイ・ディスプレイ・デバイスのニアアイ・ディスプレイであって、前記ニアアイ・ディスプレイは、ユーザの離間している両眼に画像を表示するために前記ニアアイ・サポート構造によりサポートされており、前記ニアアイ・ディスプレイは、前記ユーザの前記離間している両眼のうちの一方の眼とは接しておらず、前記ニアアイ・ディスプレイ・デバイスは、前記ニアアイ・ディスプレイ・デバイスの両眼に面するサイドとは反対の前記ニアアイ・ディスプレイ・デバイスのサイドを超えて配される３次元（３Ｄ）視野を有する、ニアアイ・ディスプレイ・デバイスのニアアイ・ディスプレイと、
前記ニアアイ・サポート構造によりサポートされている画像生成ユニットであって、前記３Ｄ視野内のシーンを前記ユーザの前記離間している両眼に投影表示するために、前記ニアアイ・ディスプレイに光学的に結合される光学画像を出力する画像生成ユニットと、
供給された画像データに応じて前記画像生成ユニットにより出力される前記光学画像を制御するための、前記画像生成ユニットに通信可能に接続されている１以上のプロセッサであって、前記１以上のプロセッサは、アクセス可能なメモリに記憶されたナチュラル・ユーザ入力を表すデータに基づいて、前記ニアアイ・ディスプレイ・デバイスの前記３Ｄ視野内の３Ｄユーザ焦点領域を決定するよう構成されており、前記１以上のプロセッサは、前記３Ｄユーザ焦点領域内の画像に対応する表示のためのユーザ焦点領域画像データを識別し、前記ニアアイ・ディスプレイ・デバイス・システムにより実行されている１以上のアプリケーションに基づいて、前記３Ｄユーザ焦点領域外の画像に対応する表示のためのセカンダリ画像データを識別するよう構成されている、１以上のプロセッサと、
前記１以上のプロセッサに通信可能に接続されており、通信媒体を介してコンピュータ・システムに通信可能に接続されている通信リンクであって、前記通信リンクは、前記コンピュータ・システムから前記ユーザ焦点領域画像データを受信するときに、無損失伝送基準を満たす１以上の通信技術を使用し、前記コンピュータ・システムから前記セカンダリ画像データを受信するときに、損失伝送を許容する１以上の通信技術を使用するよう構成されている、通信リンクと、
を含む、ニアアイ・ディスプレイ・デバイス・システム。
【請求項１０】
ニアアイ・ディスプレイ・デバイスのディスプレイ更新時間を低減させる方法であって、
前記ニアアイ・ディスプレイ・デバイスの３次元（３Ｄ）視野を表す画像データを受信するステップと、
前記の受信された画像データ内でユーザ焦点領域画像データを識別するステップであって、前記の受信された画像データは、ユーザの離間している両眼への前記ニアアイ・ディスプレイ・デバイスによる３Ｄ表示に対する更新を提供するよう構成されており、前記両眼は、前記ニアアイ・ディスプレイ・デバイスと接しておらず、前記の識別されたユーザ焦点領域画像データは、前記ニアアイ・ディスプレイ・デバイスの前記３Ｄ視野内の３Ｄユーザ焦点領域に対応するものであり、前記３Ｄユーザ焦点領域は、前記ニアアイ・ディスプレイ・デバイスの両眼に面するサイドとは反対の前記ニアアイ・ディスプレイ・デバイスのサイドを超えて配される、ステップと、
無損失伝送基準を満たす１以上の通信技術を用いて、前記の識別されたユーザ焦点領域画像データを前記ニアアイ・ディスプレイ・デバイスに送信するステップと、
前記３Ｄ視野を表す前記の受信された画像データ内で、前記３Ｄユーザ焦点領域外の３Ｄセカンダリ領域に対応するものとして、少なくとも何らかのセカンダリ画像データを識別するステップと、
損失伝送を許容する１以上の通信技術を用いて、前記の識別された少なくとも何らかのセカンダリ画像データを前記ニアアイ・ディスプレイ・デバイスに送信するステップと、
前記の送信されたユーザ焦点領域画像データ及び前記の送信された少なくとも何らかのセカンダリ画像データを使用することにより、前記ニアアイ・ディスプレイ・デバイスによる前記３Ｄ表示を更新させるステップと、
を含む、方法。